(57)【特許請求の範囲】
【請求項１】
本体ケースと、該本体ケースの外表面に重なるように着脱自在に取着された化粧パネルとを備えたモバイル情報端末機器であって、
上記本体ケースはその外表面に長手方向にも幅方向にも凹曲した凹陥部を有し、その両側部には互いに反対方向に開口し各側部に沿って延びるように形成されたスライド溝が設けられると共に、該スライド溝にはロックバネが設けられ、
上記化粧パネルは上記凹陥部とほぼ同じ形状を有し、その両側部には互いに近づくように突出し上記スライド溝に摺動自在に係合するスライド係合部が設けられると共に、該スライド係合部に上記ロックバネに係止する係止凸部が設けられ、
上記化粧パネルを上記本体ケースにその外表面に重ね合わせてほぼ面方向にスライドさせて取り付けたときに、上記スライド係合部の係止凸部が上記ロックバネに係止するようにされ、
上記化粧パネルと上記本体ケースにおける上記凹陥部以外の部分とがほぼ面一にされ、
上記化粧パネルのスライド終端縁の端部にスライド方向に延びる係合片を設け、
上記本体ケースのスライド終端縁の端部に上記係合片が係合する引掛穴を設けた
ことを特徴とするモバイル情報端末機器。
【請求項２】
請求項１に記載したモバイル情報端末機器であって、
上記ロックバネを上記本体ケースの一方のスライド溝のみに設けた
ことを特徴とするモバイル情報端末機器。
【請求項３】
請求項２に記載したモバイル情報端末機器であって、
上記化粧パネルには、上記本体ケースの一方のスライド溝のみに設けられたロックバネに対応した側部においてのみ、係止突部を有するスライド係合部が設けられている
ことを特徴とするモバイル情報端末機器。
【請求項４】
請求項１乃至請求項３のいずれかに記載したモバイル情報端末機器であって、
上記ロックバネを上記スライド溝から突出しないように設けた
ことを特徴とするモバイル情報端末機器。
【請求項５】
請求項１乃至請求項４のいずれかに記載したモバイル情報端末機器であって、
上記ロックバネは作用部を有し、上記係止凸部は該作用部に係止する
ことを特徴とするモバイル情報端末機器。
【請求項６】
請求項５に記載したモバイル情報端末機器であって、
上記ロックバネは作用部を有し、該作用部が上記スライド溝から突出しないようにされている
ことを特徴とするモバイル情報端末機器。
【請求項７】
請求項６に記載したモバイル情報端末機器であって、
上記スライド溝の底面には開口が設けられており、
上記ロックバネの作用部は、上記開口から上記スライド溝内へ突出すると共に、該スライド溝からは突出しないように設けられている
ことを特徴とするモバイル情報端末機器。
【請求項８】
モバイル情報端末機器の外表面に長手方向にも幅方向にも凹曲した凹陥部を有する本体ケースのその外表面に重ね合わせてほぼ面方向にスライドさせることにより着脱自在に取着される化粧パネルであって、
上記凹陥部とほぼ同じ形状を有し、
スライド終端縁の端部にスライド方向に延びる係合片を設け、
上記本体ケースの両側部に形成されたスライド溝に摺道自在に係合するスライド係合部を両側部において突出するように形成し、
上記スライド溝に設けられたロックバネに係合する係止凸部を上記スライド係合部に設け、
上記スライド係合部は、取着する上記本体ケースの両側部において互いに反対方向に開口し該側部に沿って延びるように形成されたスライド溝に摺動自在に係合すると共に、該化粧パネルの両側部において互いに近づくように突出し、
上記本体ケースの外表面に設けられた凹陥部以外の部分とほぼ面一となるように、上記本体ケースのスライド終端縁の端部に設けられている引掛穴と上記係合片とが係合して上記モバイル情報端末機器に取着される
ことを特徴とするモバイル情報端末機器の化粧パネル。
【発明の詳細な説明】
【０００１】
【発明の属する技術分野】
本発明は、本体ケースの外表面に着脱自在に設けられる化粧パネルを備えたモバイル情報端末機器、たとえば、携帯電話機に関し、化粧パネルの取付を簡単な構造で、かつ、その着脱操作を容易にし、また、本体ケースの大型化を招来することがないようにする技術に関する。
【０００２】
【従来の技術】
携帯電話機は、老若男女を問わず多くのユーザーに所有され、年齢層、個人の趣味趣向の相違から同機種にいくつかの外装（色、デザイン）の異なったものが提供されている。しかし、ユーザーの趣味趣向は多種多様であり、その分の外装が異なった携帯電話機を用意することは困難である。
【０００３】
そこで、デザインの異なる数種の化粧パネルを用意し、該化粧パネルを携帯電話機の外表面に着脱自在に取り付けるようにしたものがある。
【０００４】
このような携帯電話機の一例として、特願平２０００−３１４５１９号がある。
【０００５】
この出願にかかる化粧パネルは、一端部に本体ケースの係合孔に係合する係合片を設け、他端側に本体ケースに埋設された圧入ブッシュに圧入する圧入ボスを設けたものである。
【０００６】
そして、化粧パネルを本体ケースに取り付けるときには、先ず、化粧パネルの一端の係止片を本体ケースに形成した係止孔に係合させ、該係合部を支点として化粧パネルを回動させ、上記圧入ブッシュに圧入ボスを圧入する。
【０００７】
これにより、圧入ブッシュから圧入ボスが容易には抜けないため、化粧パネルが本体ケースに容易に離脱しない状態で取り付けられる。
【０００８】
【発明が解決しようとする課題】
ところで、上記携帯電話の化粧パネルの取付にあっては、圧入ブッシュと圧入ボスとの係止により為されるため、取付動作としては本体ケースの外表面に対して、直交する方向、すなわち、板厚方向での係止になってしまい、本体ケースの厚みが厚くなってしまうという問題がある。
【０００９】
すなわち、圧入ブッシュと圧入ボスとの係止にあっては、その係止力は両者の挿入量による。そのため、当該携帯電話機の使用時に化粧パネルが容易に離脱しないようにするためには、ある程度、両者の挿入量を深くする必要がある。
【００１０】
ところが、挿入量を深くするということは、圧入ブッシュを板厚方向に大きなものにしなければならず、その分、本体ケースの厚さを厚くなってしまう。また、圧入ボスもある程度長くしなければならず、平面上の化粧パネルから突出する圧入ボスの長さを長くするということは、該圧入ボスが破損し易いという問題もある。
【００１１】
また、圧入ブッシュは、その材質にもよるが圧入ボスをある程度の力でホールドするためには、面方向にも大きくしなければならず、その分、化粧パネルを取り付けるだけの部材の面方向の大きさを大きくしなければならず、本体ケースの大きさが大きくなってしまっていた。
【００１２】
特に、本体ケース内に液晶表示パネルなどの表示装置を配設するものにあっては、液晶表示パネルを避けようとすれば本体ケースの肉厚を厚くするか又は液晶表示パネルを本体ケースの平面形状に比較して比較的小さいなものにしなければならなくなってしまう。
【００１３】
さらに、取付動作として、化粧パネルの一端の係止片を本体ケースに形成した係止孔に係合させなければならず、そのため、両者の位置を確認しながら、慎重に係合させなければならず、思いのほか面倒であった。これをいい加減な状態で、化粧パネルを回動させ、圧入ブッシュに圧入ボスを挿入させようとすると、上記係止片又は圧入ボスを破損してしまうという事故を招来しかねないという問題もあった。
【００１４】
そのため、本発明モバイル情報端末機器及びその化粧パネルは、外表面に長手方向にも幅方向にも凹曲した凹陥部を有する、モバイル情報端末機器の本体ケースに取着されるところのその凹陥部とほぼ同一の形状を有する化粧パネルのその本体ケースへの取付を簡単な構造で、その着脱操作を容易にし、また、本体ケース及び化粧パネルの大型化を招来することがないようにすることを課題とする。
【００１５】
【課題を解決するための手段】
上記課題を解決するために本発明モバイル情報端末機器は、本体ケースと、該本体ケースの外表面に重なるように着脱自在に取着された化粧パネルとを備えたモバイル情報端末機器であって、上記本体ケースはその外表面に長手方向にも幅方向にも凹曲した凹陥部を有し、その両側部には互いに反対方向に開口し各側部に沿って延びるように形成されたスライド溝が設けられると共に、該スライド溝にはロックバネが設けられ、上記化粧パネルは上記凹陥部とほぼ同じ形状を有し、その両側部には互いに近づくように突出し上記スライド溝に摺動自在に係合するスライド係合部が設けられると共に、該スライド係合部に上記ロックバネに係止する係止凸部が設けられ、上記化粧パネルを上記本体ケースにその外表面に重ね合わせてほぼ面方向にスライドさせて取り付けたときに、上記スライド係合部の係止凸部が上記ロックバネに係止するようにされ、上記化粧パネルと上記本体ケースにおける上記凹陥部以外の部分とがほぼ面一にされ、上記化粧パネルのスライド終端縁の端部にスライド方向に延びる係合片を設け、上記本体ケースのスライド終端縁の端部に上記係合片が係合する引掛穴を設けたものである。
【００１６】
また、上記課題を解決するために本発明モバイル情報端末機器の化粧パネルは、モバイル情報端末機器の外表面に長手方向にも幅方向にも凹曲した凹陥部を有する本体ケースのその外表面に重ね合わせてほぼ面方向にスライドさせることにより着脱自在に取着される化粧パネルであって、上記凹陥部とほぼ同じ形状を有し、スライド終端縁の端部にスライド方向に延びる係合片を設け、上記本体ケースの両側部に形成されたスライド溝に摺道自在に係合するスライド係合部を両側部において突出するように形成し、上記スライド溝に設けられたロックバネに係合する係止凸部を上記スライド係合部に設け、上記スライド係合部は、取着する上記本体ケースの両側部において互いに反対方向に開口し該側部に沿って延びるように形成されたスライド溝に摺動自在に係合すると共に、該化粧パネルの両側部において互いに近づくように突出し、上記本体ケースの外表面に設けられた凹陥部以外の部分とほぼ面一となるように、上記本体ケースのスライド終端縁の端部に設けられている引掛穴と上記係合片とが係合して上記モバイル情報端末機器に取着されるものである。
【００１７】
従って、本発明モバイル情報端末機器及びその化粧パネルにあっては、本体ケースの化粧パネルが取着される部分の外表面が長手方向にも幅方向にも凹曲した凹陥部を有する凹陥部を有し、それに取着される化粧パネルがその凹陥部と同じ形状を有していてもその本体ケースの凹陥部に化粧パネルを重ねるようにして合わせ、すなわち、面と面とを合わせた後、化粧パネルを本体ケースに対してスライドさせるだけで、本体ケースに取り付けることができ、取付操作を極めて簡単にすることができる。また、化粧パネルのスライド終端側の端部にスライド方向に延びる係合片を設け、本体ケースのスライド終端側の端部に上記係合片が係合する引掛穴を設けたので、化粧パネルを本体ケースの取り付けた状態で、係合片が引掛片に係合し、これにより、化粧パネルは本体ケースからその重ね合わせ方向に剥がれにくくなり、取付状態の安定性に寄与する。
【００１８】
また、取り付けるための取付部材、取付部は、本体ケースの側面部に形成したスライド溝と化粧パネル側は該スライド溝に係合するスライド係合部とから構成するものであり、厚さ方向及び面方向においても本体ケースを大きくするような係合孔、係合部材などを設ける必要がなく、外表面に目立った取着用の各部材が存在することがないため、その分、小型化に寄与し、また、構造を簡単にすることができ、また、化粧パネルにあっては破損しやすい部分（圧入ボスなど）がないため、その取り扱いをラフにすることができる。
【００１９】
特に、本体ケース内に液晶表示パネルなどの表示装置を配設するものであっても、液晶表示パネルを小型化にしたり、本体ケースの厚さを厚くする必要がないため、本体ケースの大きさの割に比較的大きな液晶表示パネルを配設することができ、モバイル情報端末機器における表示部の大型化を実現することができる。
【００２０】
さらに、化粧パネルと本体ケースとの取付状態の保持手段として、別部材のロックバネを設けたので、本体ケース及び化粧パネルの材料の弾性を利用するものでなく、本来的にその変形が許容された部材の変形による弾性を利用したもので、化粧パネルの着脱を頻繁に行ったり、経年変化による変形が少なく、よって、耐久性を高めることができる。
【００２１】
【発明の実施の形態】
以下、本発明の実施の形態について、図面を参照して詳細に説明する。
【００２２】
かかる実施の形態はモバイル情報端末機器としての携帯電話機に適用したものである。
【００２３】
携帯電話機１は、図１及び図２に示すようにほぼ同等の大きさのほぼ薄箱状を呈する操作部本体２及び表示部本体３と、これら操作部本体２と表示部本体３とを相対する一側部において回転自在に組み合わせるヒンジ部４とからなる基本的な構成について、従来の携帯電話機とほぼ同様とする。携帯電話機１は、詳細を後述するように表示部本体３の外表面に化粧パネル５０を着脱自在に取り付けることで特徴ある外観を得るようにした構成に特徴を有している。尚、上記「表示部本体３」が特許請求の範囲に記載した「本体ケース」に相当する。
【００２４】
また、操作部本体２及び表示部本体３の材質としては、ポリカーボネード樹脂（ＰＣ樹脂）やポリカーボネードＡＢＳ樹脂（ＰＣ−ＡＢＳ樹脂）等が用いられ、また、化粧パネル５０の材質としては、ポリカーボネードＡＢＳ樹脂（ＰＣ−ＡＢＳ樹脂）やアクリル樹脂（ＰＭＭＡ）等が用いられる。
【００２５】
各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。また、本明細書において示す上記方向性は、上記携帯電話機１のアンテナが突出する方向を上側とし、これを基準にその方向性を規定するものであり、あくまでも携帯電話機を本明細書において説明するための便宜上のものである。
【００２６】
携帯電話機１は、未使用時において、図１及び図３に示すように操作部本体２と表示部本体３とがヒンジ部４を介して互いに重ね合わされるようにして折り畳まれた状態で携帯される。携帯電話機１は、通話時や電子メール操作等の使用時において、図２に示すようにこれら操作部本体２と表示部本体３とがヒンジ部４を介して展開された状態で用いられる。
【００２７】
携帯電話機１には、詳細を省略するが操作部本体２や表示部本体３の内部に、制御回路部、無線送受信回路部、ダイヤル発信回路部、通話回路部、リンガ回路部或いは電源回路部やメモリ部、液晶ドライバ回路部等が内蔵されている。携帯電話機１には、操作部本体２内に充電可能な二次電池パックが収納されており、各部に対して電源の供給が行われる。携帯電話機１には、図示しないが操作部本体２の側面に、外部接続端子やボリュームダイヤル等が設けられている。
【００２８】
操作部本体２は、折畳み状態において表示部本体３と対向する一方の主面を操作面２ａとし、この操作面２ａに図２に示すように文字等の入力機能を兼ねるテンキー等を有するダイヤル部５や、各種の機能選択等を行うジョグダイヤル６或いは電源・通話ボタン、記号切替ボタン、メモリ呼出ボタン等の各種の機能ボタン７が設けられている。操作本体部２には、操作面２ａのヒンジ部４と対向する自由端側に位置して図示しないマイクロホンが内蔵された送話部８が設けられている。
【００２９】
操作本体部２には、送話部８側の側面に、詳細を省略するが二次電池パックに対する充電を行うための充電端子部９が設けられている。操作本体部２には、ヒンジ部４側の側面に、伸縮自在なロッドアンテナを収納したアンテナ部１０が設けられている。アンテナ部１０は、ロッドアンテナの先端部に発光素子が内蔵されており、表示機能の設定操作によって着信があった場合に通話終了まで発光表示が行われるようにしてもよい。
【００３０】
表示部本体３は、折畳み状態において操作部本体２と対向する一方主面が後述する液晶表示パネル３０が配置されて表示面３ａとされるとともに、この表示面３ａと対向する他方主面が後述する化粧パネル５０が取り付けられる化粧面３ｂとされてなる。表示部本体３は、表示面３ａ側のインナケース１１に対して化粧面３ｂ側のアウタケース１２を組み合わせて全体薄箱状に構成されてなる。尚、表示部本体３の化粧面３ｂは、特許請求の範囲に記載した「外表面」に相当する。
【００３１】
表示部本体３には、アウタケース１２の化粧面３ｂ側に詳細を後述する凹陥部１３が形成され、この凹陥部１３を覆うようにして該凹陥部１３とほぼ同じ形状をした化粧パネル５０が取り付けられる。
【００３２】
表示部本体３には、詳細を省略するがインナケース１１の表示面３ａに比較的大きな矩形開口が形成されており、大形の表示面を有する液晶表示パネル３０が組み込まれている。尚、表示装置として液晶表示パネル３０を用いたものについて説明したが、これに限らず、ＥＬ発光素子などを用いた表示装置であっても良い。
【００３３】
液晶表示パネル３０は、節電を図るために、例えば操作本体部２と表示本体部３とを展開操作した状態において所定の表示が行われるようにする。液晶表示パネル３０は、従来の携帯電話機と同様に未使用状態において、例えば年月日、曜日、現在時刻或いは二次電池パックの充電量等の表示が行われる。液晶表示パネル３０は、例えば留守番電話サービスや着信通知サービスの機能設定状態において、着信の有無を表示する。液晶表示パネル３０は、受信した電子メール情報を表示するとともに電子メール情報の作成画面として機能する。
【００３４】
ヒンジ部４は操作部本体２側の１つのヒンジ筒体４ａと表示部本体３側の２つのヒンジ筒体４ｂ、４ｂとを有し、操作部本体２側のヒンジ筒体４ａが表示部本体３側の２つのヒンジ筒体４ｂ、４ｂに挟まるように位置されている。
【００３５】
そして、操作部本体２側のヒンジ筒体４ａの操作面２ａ側に着信表示部４０が設けられており、これにより、該着信表示部４０は操作部本体２と表示部本体３とを展開した状態（図２参照）であっても、閉塞した状態（図１参照）であっても、いずれの状態でも、前方（正面）から視認することができる。
【００３６】
すなわち、従来の折り畳み型携帯電話機にあっては、着信表示部が表示部本体３のアウタケース１２側に設けられているのが一般的であり（上記特願平２０００−３１４５１９号にあってもそうである。）、当該携帯電話機を折り畳んで携帯しているときは着信表示部を視認できたが、展開して状態、たとえば、展開して表示面を見ながら操作しているとき（メールなどを入力しているとき）、着信があっても気づかないと言った不都合があったが、この実施の形態にかかる携帯電話機１にあっては、このような不都合を回避することができる。
【００３７】
着信表示部４０は、電源オン状態において着信があった場合にリンガ回路部からの出力によって発光素子１８が点灯して光学的な着信表示を行う。着信表示部４０は、各発光素子１８が同時に点滅制御されたり、所定のタイミングで順次点滅することで動きのある光学的着信表示を行うようにしてもよい。
【００３８】
表示部本体３には、図２に示すように表示面３ａのヒンジ部４と対向する自由端側に位置して図示しないスピーカが内蔵された送話部８が設けられている。
【００３９】
凹陥部１３は、図１に示すように表示面３ａのほぼ全域を占める大きなほぼ矩形凹部としてアウタケース１２の外表面に形成されてなる。尚、アウタケース１２における外表面とは、当該携帯電話機１を閉塞した状態にあっては前側面となり（図１参照）、展開して状態にあっては後側面となる（図２参照）。
【００４０】
凹陥部１３は、上端縁の左右両端部が上方へ突出して左右規制部１３ａ、１３ａが形成され、該左右規制部１３ａ、１３ａに挟まれた部分が凹んだ扁平凹部１３ｂに形成されている（図１参照）。
【００４１】
また、凹陥部１３の上記上端縁を除く左右側縁部及び下端縁部にはそれぞれ前方及び側方又は下方を向く段差部１４が形成されており、段差部１４は前方を向いた段差前面１４ａと側方又は下方を向いた段差側面１４ｂ、１４ｂ又は段差下面１４ｃとから構成される（図３、図４参照）。尚、段差側面１４ｂ、１４ｂは特許請求の範囲に記載した「本体ケースの側部」に相当する。
【００４２】
そして、下端縁（特許請求の範囲に記載した「本体ケースのスライド終端」に相当する。）の段差部１４のうち段差下面１４ｃには、左右両端寄りの位置に下方に開口する引掛穴１５、１５が形成されており、該引掛穴１５は上記段差前面１４ａに連続して形成されている（図３、図４参照）。
【００４３】
また、上記段差側面１４ｂ、１４ｂはその上下方向の中央部が僅かに外方に膨らむように湾曲されており、該段差側面１４ｂ、１４ｂには左方又は右方（共に外方）に開口するスライド溝１６、１６が上下方向に延びるように形成されており、該スライド溝１６は段差側面１４ｂ、１４ｂのほぼ半分の長さで、その上下方向のほぼ中央部に形成されている（図３、図４参照）。
【００４４】
尚、２つのスライド溝１６、１６は左右においてほぼ同じ形状をしているため、その一方（ここでは左方）のスライド溝１６について説明し、他方（右方）のスライド溝１６についての説明は省略する。尚、右方のスライド溝１６と左方のスライド溝１６との相違は、左方のスライド溝１６には後述するロックバネを配置する開口が形成されており、右方のスライド溝１６にはそれがないことである（図４参照）。
【００４５】
スライド溝１６の構成面は、前後で離間し互いに向き合う２つの溝側面１７、１８と該２つの溝側面１７、１８を連結する底面１９とで構成される。上記溝側面１７、１８のうち後側の溝側面（以下、「後側溝側面」という。）１７は上記段差前面１４ａと面一に連続して形成され、また、前側の溝側面（以下、「前側溝側面」という。）１８は段差側面１４ｂの前側縁から左方へ突設された庇部２０の後面として形成されている（図６参照）。
【００４６】
また、前側溝側面１８は、下端からほぼ１／３の位置に形成された第１の傾斜部１８ａ、下端からほぼ２／３の位置に形成された第２の傾斜部１８ｂ、該第２の傾斜部１８ｂよりやや上方の位置に形成された突部１８ｃを有し、これにより、上記スライド溝１６の溝幅は、下側１／３が最も幅広で、中間部が次に幅広で、上側１／３が最も幅狭に形成され、かつ、上記突部１８ｃが形成された部位が溝幅が最も幅狭に形成されている（図８参照）。
【００４７】
さらに、左側のスライド溝１６の下方からほぼ１／３の位置には、その底面１９及び段差前面１４ａに開口（以下、「バネ配置開口」という。）２１が形成され、該バネ配置開口２１にロックバネ２２が表示部本体３の内側から左方に向かって臨むように配置される。すなわち、ロックバネ２２の作用部２２ａはスライド溝１６の底面１９から突出してスライド溝１６内に位置されている（図７参照）。
【００４８】
かかるロックバネ２２は、板バネ材料（たとえば、ＳＵＳ：ステンレス）を正面から見て左右方向に扁平で右方に開口するコ字状に折り曲げられて形成され、さらに、その中央部に左方に２段階に突出する作用部２２ａが形成されている（図７参照）。尚、ロックバネ２２としてＳＵＳのような金属材料を用いたが、本発明はこれに限らず、比較的弾性に富む材質で、或いは比較的弾性に富む形状に形成すれば、合成樹脂材料を用いても良い。
【００４９】
そして、該ロックバネ２２はその作用部２２ａが上記スライド溝１６の底面１９のバネ配置開口２１からスライド溝１６内に突出するように配設され、ロックバネ２２の作用部２２ａはスライド溝１６を構成する庇部２０の側縁とほぼ同じか又はやや内側に引っ込んで位置される（図７参照）。尚、図７中、２点鎖線で示すものが庇部２０の側縁である。
【００５０】
これにより、正面から見たときに庇部２０からロックバネ２２が突出しておらず、すなわち、スライド溝１６内にロックバネ２２が設けられており、たとえば、化粧パネル５０が取り付けられていない状態の表示部本体３を触れたときに、その指がロックバネ２２に接触することがなく、指を傷つけることがなく、また、ロックバネ２２も指などの接触により破損、変形されることがない（図７参照）。
【００５１】
尚、かかる実施の形態においてはロックバネ２２をスライド溝１６の底面１９から突出するように設けたが、これに限らず、スライド溝１６を構成する各溝側面（後側溝側面１７や前側溝側面１８）から突出するように設けても良い。
【００５２】
表示部本体３のアウタケース１２の内側面であって、上記バネ配置開口２１の上下に近接する位置には、Ｌ字状をしたリブ（以下、「バネ押さえリブ」という。）２３、２３が一体に形成され、該２つのバネ押さえリブ２３、２３に上記ロックバネ２２が挟まれるようにして配置されている（図７参照）。これにより、化粧パネル５０の後述するスライド係合突条によりロックバネ２２の作用部２２ａが押圧されても、ロックバネ２２が移動されず、ロックバネ２２が撓んで作用部２２ａがスライド係合突条を押圧することになる。
【００５３】
化粧パネル５０は、適宜な合成樹脂材料によって上記凹陥部１３の開口形状とほぼ等しい外形形状に形成されてなる。すなわち、化粧パネル５０の上端縁には上記凹陥部１３の左右規制部１３ａに対応した形状の左右規制片５０ａ、５０ａが、また、凹陥部１３の扁平凹部１３ｂに対応した形状の扁平凹部５０ｂそれぞれ形成され、後述するように、化粧パネル５０が表示部本体３に取り付けられたときに、上記左右規制片５０ａ、５０ａが左右規制部１３ａ、１３ａに一致し、また、扁平凹部５０ｂが扁平凹部１３ｂに一致するようになっている。
【００５４】
かかる化粧パネル５０は、誤って携帯電話機１を落下等させた場合にもある程度の衝撃吸収作用を奏するように、やや弾性を有する合成樹脂材（ＰＣ−ＡＢＳ樹脂など）を用いるのが好ましい。化粧パネル５０には、外周縁に沿って上記凹陥部１３の上記各段差部１４の高さとほぼ等しい高さの外周立壁５１が形成されるとともに、ほぼ中央部を頂点として四方の外周側に向かって緩やかに湾曲する全体曲面を付されて形成されてなる。
【００５５】
化粧パネル５０には、その外周立壁５１のうち左右側部に位置する側部外周立壁（特許請求の範囲に記載した「化粧パネルの両側部」に相当する。）５１ａ、５１ａに、その上下方向のほぼ中央部であって、上記スライド溝１６、１６に対応する部分にそれぞれ互いに近づく方向（内方）に突出するスライド係合突条（特許請求の範囲に記載した「スライド係合部」に相当する。）５２、５２が形成されている（図４参照）。尚、かかる実施の形態にあっては「スライド係合部」を「突条」に形成したが、本発明はこれに限らず、長手方向に複数の突部を並設するものであっても良い。要は、スライド係合部が上記スライド溝にスライド自在に係合し、そのスライドがスライド方向に対して直交する方向にぶれない又はぶれにくくするようになっていればよい。
【００５６】
スライド係合突条５２はその上端は上方へ行くに従い肉厚が薄くなるように上端傾斜面５２ａに形成され、長さ方向のほぼ中央部には下方に行くに従い肉厚がやや厚くなるように中央傾斜面５２ｂが形成されている（図８参照）。
【００５７】
スライド係合突条５２の厚さは下半分（中央傾斜面５２ｂから下側の部分）がスライド溝１６の第１の傾斜部１８ａと第２の傾斜部１８ｂとの間の溝幅とほぼ同じか又はやや小さく形成され、また、その上半分（中央傾斜面５２ｂから上側の部分）がスライド溝１６の第２の傾斜部１８ｂから上側の部分の溝幅とほぼ同じか又はやや小さく形成されていると共に、庇部２０の突部１８ｃが形成された部位における溝幅よりもやや大きく形成されている（図８参照）。
【００５８】
また、スライド係合突条５２の内方への突出量は、その全長に亘ってほぼ一定であるが、上端は上方へ行くに従い肉厚が小さくなるように上端傾斜部５３ａに形成され、また長さ方向のほぼ中央部に内方に突出する係止凸部５３ｂが形成され、さらに該係止凸部５３ｂの下側には該係止凸部５３ｂに連続して凹部５３ｃが形成されている（図７参照）。
【００５９】
また、化粧パネル５０の外周立壁５１のうち下側部（特許請求の範囲に記載した「化粧パネルのスライド終端側の端部」に相当する。）に位置する下部外周立壁５１ｂには、その左右両端部寄り位置に上方へ突出する係合片５４、５４が形成されており、これら２つの係合片５４、５４は上記表示部本体３に形成した引掛穴１５、１５にそれぞれ対応されている（図３（Ｂ）参照）。
【００６０】
以上のように構成された化粧パネル５０は、次のようにして表示部本体３の凹陥部１３に取り付けられる。
【００６１】
先ず、化粧パネル５０を表示部本体３の凹陥部１３に重ね合わせる。
【００６２】
このとき、化粧パネル５０の外周立壁５１を凹陥部１３の段差部１４に載るように位置させるだけで、化粧パネル５０の表示部本体３に対する左右方向の位置決めを簡単に行うことができ、ラフな操作で容易に化粧パネル５０を表示部本体３に重ね合わせることができる。
【００６３】
すなわち、化粧パネル５０と表示部本体３との両者の位置が左右方向に多少ずれていても、指の腹で化粧パネル５０を左右方向に動かすことにより、容易にその位置決めをすることができる。このとき、上下方向の位置は大まかで良く、化粧パネル５０の左右の側部外周立壁５１ａ、５１ａの一部が表示部本体３の凹陥部１３の左右の段差部１４、１４の一部に載っていればよい。
【００６４】
そして、指の腹で化粧パネル５０を上方に移動させると、表示部本体３のスライド溝１６に化粧パネル５０のスライド係合突条５２が嵌合し、さらに化粧パネル５０を上方へ移動させることにより、化粧パネル５０の表示部本体３への取付が完了する。
【００６５】
具体的には、かかる状態から化粧パネル５０を上方へ移動させると、側方から見て分かるように、スライド係合突条５２の上端の上端傾斜面５２ａが庇部２０の厚さ方向の第１の傾斜部１８ａに当接する。これにより、スライド係合突条５２は規制されながらスライド溝１６に嵌合されて行く。このときは、前後方向の嵌合は緩やかである（図９（ａ）参照）。尚、かかる状態の正面図は省略する。
【００６６】
次に、化粧パネル５０を上方へ移動させると、側方から見て分かるように、スライド係合突条５２の中央傾斜面５２ｂが庇部２０の厚さ方向の第１の傾斜部１８ａに当接する。これにより、スライド係合突条５２はスライド溝１６に対して遊嵌状に係合される（図９（ｂ）参照）。また、前方から見てかかる状態は、スライド係合突条５２の上端傾斜部５３ａがロックバネ２２の作用部２２ａに下方から当接した状態である（図１１（ａ）参照）。
【００６７】
さらに、化粧パネル５０を上方へ移動させると、側方から見て分かるように、スライド係合突条５２の上端の上端傾斜面５２ａが庇部２０の第２の傾斜部１８ｂに当接する。これにより、スライド係合突条５２はスライド溝１６に対してやや余裕は少なくなるが未だ遊嵌状に係合される（図９（ｃ）参照）。また、前方から見てかかる状態は、スライド係合突条５２の摺動面５３ｄがロックバネ２２の作用部２２ａに作用し、該ロックバネ２２がやや内側に撓んだ状態である（図１１（ｂ）参照）。また、ロックバネ２２が撓むことにより、スライド係合突条５２が左方へ押圧され、これにより、化粧パネル５０が全体として左方へ移動され、よって、表示部本体３と化粧パネル５０との左右方向でのガタツキが解消される。
【００６８】
そして、さらに化粧パネル５０を上方へ移動させると、側方から見て分かるように、スライド係合突条５２の上端の上端傾斜面５２ａが庇部２０の突部１８ｃに当接して、該突部１８ｃがスライド係合突条５２に載り上げると、該突部１８ｃが形成された部位のスライド溝１６にスライド係合突条５２がきつめに狭持され、化粧パネル５０は表示部本体３に対して前後方向にガタツキがない状態で保持される（図１０（ｄ）参照）。また、前方から見てかかる状態は、スライド係合突条５２の係止凸部５３ｂがロックバネ２２の作用部２２ａ下方から当接した状態である（図１１（ｃ）参照）。また、この状態においては、化粧パネル５０の下端縁に設けた係合片５４、５４が表示部本体３の引掛穴１５、１５にそれぞれ挿入される。
【００６９】
この状態から化粧パネル５０を上方へ移動させようとするとき、前方から見て分かるように、上記ロックバネ２２の弾発力により、やや引っかかった感触にあるが、これを強引に上方へ移動させると、ロックバネ２２の作用部２２ａの先端がスライド係合突条５２の係止凸部５３ｂに載り、ロックバネ２２が最も変形した状態となる（図１２（ｄ）参照）。尚、かかる状態の側面図は省略する。
【００７０】
さらに、化粧パネル５０を上方へ移動させると、ロックバネ２２の作用部２２ａの先端をスライド係合突条５２の係止凸部５３ｂが載り越え、前方から見て分かるように、ロックバネ２２の作用部２２ａはその弾発力によりスライド係合突条５２の凹部５３ｃに係合する（図１２（ｅ）参照）。一方、側方から見ると、スライド係合突条５２がスライド溝１６に対してきつめに狭持された状態で、摺動して上端部までスライドされて、化粧パネル５０の表示部本体３へ取付が完了する（図１０（ｅ）参照）。
【００７１】
これにより、化粧パネル５０は上下方向への移動が阻止され、ロックバネ２２によるロックがかかった状態となり、容易には表示部本体３から化粧パネル５０が離脱されない状態となる。また、ロックバネ２２が撓むことにより、スライド係合突条５２を左方へ押圧することになり、化粧パネル５０が全体として左方へ付勢され、よって、表示部本体３と化粧パネル５０との左右方向でのガタツキが解消される。しかも、化粧パネル５０を左方へ付勢するということは、化粧パネル５０の右側のスライド係合突条５２が表示部本体３のスライド溝１６に嵌合する方向に付勢されることになり、該部分においてはスライド係合突条５２とスライド溝１６とが線接触をすることになり、両者の保持状態が安定する。これは、一方のスライド溝のみにロックバネ２２を設けたことによる。
【００７２】
また、化粧パネル５０の左右規制片５０ａ、５０ａが凹陥部１３の左右規制部１３ａ、１３ａに、扁平凹部５０ｂが扁平凹部１３ｂにそれぞれ一致するため、この点からも、化粧パネル５０の左右方向への動きを抑制することができる。
【００７３】
さらに、この状態においては、化粧パネル５０の下端縁に設けた係合片５４、５４が表示部本体３の引掛穴１５、１５内に完全に挿入された状態となり（図３（Ｂ）参照）、従って、化粧パネル５０はその下端縁が表示部本体３からその重ね合わせ方向に剥がれにくくなり、取付状態の安定性に寄与する。
【００７４】
このようにして、化粧パネル５０と表示部本体３とは、スライド溝１６とスライド係合突条５２とのスライド手段だけで取り付けることができ、また、上述のように、化粧パネル５０は表示部本体３に対して左右方向、前後方向及び上下方向に対しても、ガタツキがない状態で保持される。
【００７５】
そして、化粧パネル５０は、このようにして凹陥部１３を閉塞するようにして表示部本体３の外表面に取り付けられて外装体を構成する。
【００７６】
また、化粧パネル５０を表示部本体３から取り外す場合には、上述の取付方向と反対方向に化粧パネル５０をスライドさせるだけで、簡単に取り外すことができる。
【００７７】
しかして、化粧パネル５０は表示部本体３に対して、スライドさせるだけで簡単に取り付けることができる。すなわち、取り付ける手段としてスライド手段を用いたので、面（表示部本体３の凹陥部１３）に対して面（化粧パネル５０）を重ね合わせて、一方（化粧パネル５０）を面方向に移動させるだけで、その取付を行うことができ、極めて簡単な操作で取り付けることができる。
【００７８】
また、従来の技術で説明したような表示部本体の面に対して直交方向する方向での係合でないため、表示部本体３及び化粧パネル５０の肉厚及び面方向の大きさを大きくすることなく、よって、これらの小型化に寄与し、引いては本体ケースの大きさの割に大きな表示部を実現することができ、表示部の大型化に貢献することになる。
【００７９】
ロックバネ２２を表示部本体３及び化粧パネル５０とは別個の部材でしかもバネ材料から成るものを用いたので、化粧パネル５０の着脱を頻繁に行っても、化粧パネル５０の表示部本体３への取付状態が緩むことがなく、両者の取付手段に関し耐久性を富むものを提供することができる。
【００８０】
すなわち、このような化粧パネルを本体ケースに取り付ける場合、例えば嵌合孔と嵌合係止凸部との嵌合構造のみによって化粧パネルを取り付ける構造のものが多く見受けられるが、これらはいずれかの部材の変形（バネ材料のように本来的に、その変形が許容されたものでないものの変形）により取付状態を保持しようとするものであり、経年変化などにより取付状態が緩んでしまうが、上述の実施の形態にかかる携帯電話機１における化粧パネル５０の表示部本体３への取付の場合にはそのようなことはない。
【００８１】
また、化粧パネル５０を表示部本体３から取り外す場合にも、従来、表示部本体を撓ませて化粧パネルとの間に隙間を作り、この隙間に適宜な治具をこじ入れて嵌合係止凸部を変形させるといった操作が必要であり、多くのユーザーにとって化粧パネルの交換操作を極めて難しく、無理矢理の操作によって表示部本体や化粧パネルを破損したりする事故があったが、上述の実施の形態にかかる携帯電話機１における化粧パネル５０の表示部本体３への取付の場合にはそのようなことはない。
【００８２】
図１３（ａ）（ｂ）（ｃ）及び図１４（ｄ）（ｅ）は、上記ロックバネの変形例を示すものであり、かかるロックバネ２５は、その作用部２５ａの突出量が小さく、上記庇部２０の側縁よりも底面１９側に位置するものである。尚、図１３（ａ）〜図１４（ｅ）は、スライド係合突条５２をスライド溝１６に係合させ、取付方向にスライドさせていく様子を順に示すもので、上記図１１（ａ）〜図１２（ｅ）にそれぞれ対応するものである。従って、その動作の説明については省略する。
【００８３】
そして、かかるロックバネ２５の突出量（スライド溝１６の底面１９からの突出量）は、スライド係合突条５２の係止凸部５３ｂの突出量（スライド係合突条５２の摺動面５３ｄからの突出量）よりも小さく形成されており、従って、図１３（ｂ）で分かるように、スライド係合突条５２の係止凸部５３ｂがスライド溝１６の底面１９に接してスライドするとき、ロックバネ２５の作用部２５ａはスライド係合突条５２の摺動面５３ｄに接しておらず、これにより、スライド係合突条５２の摺動面５３ｄを傷つけることはなく、また、削奪することもない。
【００８４】
以上に説明した化粧パネル５０は、上述した樹脂材を成形金型のキャビティ内に射出して所定の形状に硬化させるモールド成形によって形成されるが、その際に所定の形状に形成切断された化粧フィルムをインモールド材としてキャビティ内に予め設置してモールド成形を行うことにより、化粧パネル５０の表面に上記化粧フィルムを一体化することができる。そして、かかる化粧フィルムを赤やブルー等の適宜の色調のフィルム材、写真や風景、サイケ模様や絵画等の適宜の図柄が印刷されたフィルム材、或いは木目調や石目調、メタリック調やパール調等の材質感を有するフィルム材を適宜選択することにより、種々のデザインの化粧パネル５０を提供することができる。勿論、かかる構成の化粧パネル５０に限定されるものではなく、例えば適宜に着色された合成樹脂材によって単独の化粧パネル５０を用いるようにしてもよい。
【００８５】
また、化粧パネル５０においては、成形金型によってパネル基体２４と化粧フィルムを一体化したものを示したが、かかる構成に限定されるものでは無い。化粧パネル５０は、単純な形状であるとともに表面が平坦であることから、例えば、化粧パネル５０に対してその表面に化粧材を熱プレス等の適宜の方法によって一体に接合して構成するようにしてもよい。化粧パネル５０は、例えば化粧材として上述した化粧フィルムばかりでなく動物等の皮革、フェイクファー（fake fur：毛皮もどき）、布地等のように従来携帯電話機には全く用いられていない素材を接合するようにしてもよい。化粧パネル５０は、例えばショップにおいて顧客からの注文に応じてオリジナルの化粧材の接合サービスを行って提供するようにしてもよい。
【００８６】
さらに、化粧パネル５０は、上述した構成から低コストで製作することが可能であり、化粧フィルムの色調や図柄を異にした複数枚が顧客に対してセットで提供されるようにする。化粧パネル５０は、オプション部品としてショップでの販売も行われるが、ここでも複数枚をセットとして販売するようにしてもよい。
【００８７】
このほか、化粧パネル５０は、携帯電話機１の基本構造体を構成する部材ではなく、携帯ストラップ等と同様にオプション部品として後付けで取り付けられる部品である。したがって、化粧パネル５０は、携帯電話機１の認定規格に何ら影響を及ぼすことは無く、ユーザーが自由に交換することができる。化粧パネル５０は、外観を変える単なるオプション部品であるばかりでなく、後述するように液晶表示パネル３０の破損を低減する作用も奏する。
【００８８】
携帯電話機１においては、予め所定の色調の樹脂材によって操作部本体２と表示部本体３とが形成されて提供される。携帯電話機１においては、例えばオプション部品として複数枚の化粧パネル５０が顧客に対して供給される。携帯電話機１においては、ユーザーによって適宜の化粧パネル５０が選択され、上述した操作によって表示部本体３の外表面に取り付けられる。携帯電話機１においては、特徴有る化粧パネル５０が表示部本体３の外装体を構成することで、ユーザーに対して大きな満足を与える。携帯電話機１においては、ユーザーがその日の気分等によって化粧パネル５０を適宜交換することで、いわゆるＴＰＯに合わせた使い方を実現させる。
【００８９】
携帯電話機１においては、標準仕様の操作部本体２に対して、化粧面３ｂに適宜選択された化粧パネル５０を取り付けた表示部本体３がヒンジ部４を介して組み合わされることで、標準品と大きく異にした外観形態が創出される。携帯電話機１においては、一般に操作部本体２側が把持されて表示部本体３の化粧面３ｂが外方に向けられて使用されることから、使用状態においても化粧パネル５０の色調や図柄が目立つようになる。したがって、携帯電話機１においては、携帯時ばかりでなく使用時においてもオリジナル性が充分に発揮され、ユーザーに大きな満足感を与える。
【００９０】
携帯電話機１においては、化粧面３ｂに取り付けられた化粧パネル５０が図３に示すように液晶表示パネル３０の背面部に設けているため、表示部本体３の厚み寸法が全体的に大きくなっており、機械的剛性の向上が図られている。携帯電話機１においては、化粧パネル５０に緩やかな曲面を付されることによって凹陥部１３の底面壁（化粧面３ｂ）との間に間隙が構成された構造となっており、携帯時等において表示部本体３に対して厚み方向の大きな圧力が負荷された場合でも、化粧パネル５０の間隙分の弾性変形による緩衝と表示部本体３の機械的強度とによって液晶表示パネル３０のガラス割れ等の発生が低減される。
【００９１】
また、携帯電話機１には、例えば透明若しくは半透明な合成樹脂材によって成形された化粧パネル５０を用いるようにしてもよい。かかる場合に、この化粧パネル５０と凹陥部１３との間に構成された間隙内に写真や適宜のシートからなる化粧シートを装着することで、化粧パネル５０を介して化粧シートを透視することができ、ユーザーが好みの外表面に創出することができる。
【００９２】
尚、上記実施の形態にあっては、表示部本体３（本体ケース）に凹陥部１３を設け、該凹陥部１３を覆うように化粧パネル５０を取り付けるようにしたが、このようにすると化粧パネル５０と表示部本体３の凹陥部１３以外の部分とがほぼ面一となって、手触り感、見栄え等を良好にするが、本発明はこれに限らず、凹陥部１３がなく、表示部本体３の外表面のほぼ前面を覆うように化粧パネルを５０取り付けるようにしても良い。
【００９３】
さらに、上記した実施の形態は、本発明モバイル情報端末機器を携帯電話機に適用してものについて説明したが、本発明はこれに限らず、例えば、ＰＤＡ（Personal Digital Assistant）等に適用することもできる。
【００９４】
また、上記実施の形態にかかる携帯電話機は、いわゆる折り畳みタイプの携帯電話機に適用したが、本発明はこれに限らず、いわゆるストレートタイプの携帯電話機に適用することもできる。
【００９５】
【発明の効果】
以上に記載したところから明らかなように、本発明モバイル情報端末機器は、本体ケースと、該本体ケースの外表面に重なるように着脱自在に取着された化粧パネルとを備えたモバイル情報端末機器であって、上記本体ケースはその外表面に長手方向にも幅方向にも凹曲した凹陥部を有し、その両側部には互いに反対方向に開口し各側部に沿って延びるように形成されたスライド溝が設けられると共に、該スライド溝にはロックバネが設けられ、上記化粧パネルは上記凹陥部とほぼ同じ形状を有し、その両側部には互いに近づくように突出し上記スライド溝に摺動自在に係合するスライド係合部が設けられると共に、該スライド係合部に上記ロックバネに係止する係止凸部が設けられ、上記化粧パネルを上記本体ケースにその外表面に重ね合わせてほぼ面方向にスライドさせて取り付けたときに、上記スライド係合部の係止凸部が上記ロックバネに係止するようにされ、上記化粧パネルと上記本体ケースにおける上記凹陥部以外の部分とがほぼ面一にされ、上記化粧パネルのスライド終端縁の端部にスライド方向に延びる係合片を設け、上記本体ケースのスライド終端縁の端部に上記係合片が係合する引掛穴を設けたことを特徴とする。
【００９６】
また、本発明モバイル情報端末機器の化粧パネルは、モバイル情報端末機器の外表面に長手方向にも幅方向にも凹曲した凹陥部を有する本体ケースのその外表面に重ね合わせてほぼ面方向にスライドさせることにより着脱自在に取着される化粧パネルであって、上記凹陥部とほぼ同じ形状を有し、スライド終端縁の端部にスライド方向に延びる係合片を設け、上記本体ケースの両側部に形成されたスライド溝に摺道自在に係合するスライド係合部を両側部において突出するように形成し、上記スライド溝に設けられたロックバネに係合する係止凸部を上記スライド係合部に設け、上記スライド係合部は、取着する上記本体ケースの両側部において互いに反対方向に開口し該側部に沿って延びるように形成されたスライド溝に摺動自在に係合すると共に、該化粧パネルの両側部において互いに近づくように突出し、上記本体ケースの外表面に設けられた凹陥部以外の部分とほぼ面一となるように、上記本体ケースのスライド終端縁の端部に設けられている引掛穴と上記係合片とが係合して上記モバイル情報端末機器に取着されることを特徴とする。
【００９７】
従って、本発明モバイル情報端末機器及びその化粧パネルにあっては、本体ケースの化粧パネルが取着される部分の外表面が長手方向にも幅方向にも凹曲した凹陥部を有する凹陥部を有し、それに取着される化粧パネルがその凹陥部と同じ形状を有していてもその本体ケースの凹陥部に化粧パネルを重ねるようにして合わせ、すなわち、面と面とを合わせた後、化粧パネルを本体ケースに対してスライドさせるだけで、本体ケースに取り付けることができ、取付操作を極めて簡単にすることができる。また、化粧パネルのスライド終端側の端部にスライド方向に延びる係合片を設け、本体ケースのスライド終端側の端部に上記係合片が係合する引掛穴を設けたので、化粧パネルを本体ケースの取り付けた状態で、係合片が引掛片に係合し、これにより、化粧パネルは本体ケースからその重ね合わせ方向に剥がれにくくなり、取付状態の安定性に寄与する。
【００９８】
また、取り付けるための取付部材、取付部は、本体ケースの側面部に形成したスライド溝と化粧パネル側は該スライド溝に係合するスライド係合部とから構成するものであり、厚さ方向及び面方向においても本体ケースを大きくするような係合孔、係合部材などを設ける必要がなく、外表面に目立った取着用の各部材が存在することがないため、その分、小型化に寄与し、また、構造を簡単にすることができ、また、化粧パネルにあっては破損しやすい部分（圧入ボスなど）がないため、その取り扱いをラフにすることができる。
【００９９】
特に、本体ケース内に液晶表示パネルなどの表示装置を配設するものであっても、液晶表示パネルを小型化にしたり、本体ケースの厚さを厚くする必要がないため、本体ケースの大きさの割に比較的大きな液晶表示パネルを配設することができ、モバイル情報端末機器における表示部の大型化を実現することができる。
【０１００】
さらに、化粧パネルと本体ケースとの取付状態の保持手段として、別部材のロックバネを設けたので、本体ケース及び化粧パネルの材料の弾性を利用するものでなく、本来的にその変形が許容された部材の変形による弾性を利用したもので、化粧パネルの着脱を頻繁に行ったり、経年変化による変形が少なく、よって、耐久性を高めることができる。
【０１０１】
請求項２、３に記載した発明にあっては、本体ケースにおいてロックバネを本体ケースの一方のスライド溝のみに設け、化粧パネルにおいて係止凸部を有するスライド係合部をロックバネが設けられた側と対応する側のみに設けたので、ロックバネが撓んだときに、スライド係合部を一方へ押圧することになり、化粧パネルを片方に付勢し、よって、本体ケースと化粧パネルとのスライド方向に対する直交する方向でのガタツキが解消され、両者の取付状態を安定に維持することができる。
【０１０２】
請求項４に記載した発明にあっては、ロックバネをスライド溝から突出しないように設けたので、たとえば、化粧パネルが取り付けられていない状態の本体ケースを触れたときに、その指がロックバネに接触することがなく、指を傷つけることがなく、また、ロックバネも指などの接触により破損、変形されることがない。
【図面の簡単な説明】
【図１】図２乃至図１２と共に、本発明の実施の形態として携帯電話機に適用したものを示すものであり、本図は携帯電話機を折り畳んで化粧パネルを取り外した状態を示す斜視図である。
【図２】携帯電話機の操作部本体と表示部本体とを展開した状態の斜視図である。
【図３】（Ａ）は携帯電話機を折り畳んで化粧パネルを取り付けた状態を示す正面図、
（Ｂ）は（Ａ）のＢ−Ｂ線に沿う拡大断面図である。
【図４】携帯電話機を折り畳んで化粧パネルを取り外した状態を示す正面図である。
【図５】携帯電話機を折り畳んで化粧パネルを取り外した状態を示す左側面図である。
【図６】スライド溝とスライド係合突条とを離した状態で拡大して示す要部の縦断面図である。
【図７】スライド溝とスライド係合突条とを離した状態で拡大して示す要部の正面図である。
【図８】スライド溝とスライド係合突条とを離した状態で拡大して示す要部の側面図である。
【図９】スライド溝とスライド係合突条と係合して行く様子を（ａ）〜（ｃ）の順に拡大して示す要部の概略側面図である。
【図１０】図９に引き続き、スライド溝とスライド係合突条と係合して行く様子を（ｄ）〜（ｅ）の順に拡大して示す要部の概略側面図である。
【図１１】スライド溝とスライド係合突条と係合して行く様子を（ａ）〜（ｃ）の順に拡大して示す要部の概略正面図である。
【図１２】図１１に引き続き、スライド溝とスライド係合突条と係合して行く様子を（ｄ）〜（ｅ）の順に拡大して示す要部の概略側面図である。
【図１３】図１４と共に、ロックバネの変形例を示すもので、本図はスライド溝とスライド係合突条と係合して行く様子を（ａ）〜（ｃ）の順に拡大して示す要部の概略側面図である。
【図１４】図１３に引き続き、スライド溝とスライド係合突条と係合して行く様子を（ｄ）〜（ｅ）の順に拡大して示す要部の概略側面図である。
【符号の説明】
１…携帯電話機（モバイル情報端末機器）、３…表示部本体（本体ケース）、３ｂ…化粧面（外表面）、１３…凹陥部、１４ｂ…段差側面（側部）、１５…引掛穴、１６…スライド溝、１９…底面、２１…バネ配置開口（開口）、２２…ロックバネ、２２ａ…作用部、２５…ロックバネ、２５ａ…作用部、５０…化粧パネル、５１ａ…側部外周立壁（側部）、５２…スライド係合突条（スライド係合部）、５３ｂ…係止凸部、５４…係合片
【図１】
0004027641.tif 000002
【図２】
0004027641.tif 000003
【図３】
0004027641.tif 000004
【図４】
0004027641.tif 000005
【図５】
0004027641.tif 000006
【図６】
0004027641.tif 000007
【図７】
0004027641.tif 000008
【図８】
0004027641.tif 000009
【図９】
0004027641.tif 000010
【図１０】
0004027641.tif 000011
【図１１】
0004027641.tif 000012
【図１２】
0004027641.tif 000013
【図１３】
0004027641.tif 000014
【図１４】
0004027641.tif 000015